(57)【要約】【課題】  ページをめくりながら原稿台に置き直すことなく書籍の所望のページだけを印刷することができる印刷装置を提供すること。【解決手段】  印刷対象の識別コードとその印刷対象の電子データを関連づけて格納するデータベースに接続された印刷装置において、前記印刷対象の識別コードを読み取る識別コード読み取り手段と、印刷対象の全ページ、もしくは、印刷対象ページの一部を指定するページ指定手段と、前記識別コードに関連した前記電子データを前記データベースから指定されたページだけ取得する取得手段と、取得した前記電子データを印刷する印刷手段とを有することを特徴とした印刷装置。【選択図】        図１
2006173845.tif 000002
【特許請求の範囲】
【請求項１】
印刷対象の識別コードとその印刷対象の電子データを関連づけて格納するデータベースに接続された印刷装置において、
前記印刷対象の識別コードを読み取る識別コード読み取り手段と、
印刷対象の全ページ、もしくは、印刷対象ページの一部を指定するページ指定手段と、
前記識別コードに関連した前記電子データを前記データベースから指定されたページだけ取得する取得手段と、
取得した前記電子データを印刷する印刷手段と
を有することを特徴とした印刷装置。
【請求項２】
前記データベースは前記印刷対象の前記電子データと同様に前記識別コードに関連付けて前記電子データの印刷条件を格納し、
前記取得手段は前記電子データとともに前記印刷条件を前記データベースから取得し、
前記印刷手段は前記印刷条件が満たされる場合に前記電子データの印刷を行う
ことを特徴とした請求項１記載の印刷装置。
【請求項３】
印刷対象の識別コードとその印刷対象の電子データを関連づけて格納するデータベースに接続された印刷装置において、
前記印刷対象の識別コードを読み取る識別コード読み取り手段と、
印刷対象の全ページ、もしくは、印刷対象ページの一部を指定するページ指定手段と、
前記識別コードに関連した前記電子データを前記データベースから指定されたページだけ取得する取得手段と、
取得した前記電子データを印刷する印刷手段と、
印刷に伴う料金を徴収する料金徴収手段と、
を有することを特徴とした印刷装置。
【請求項４】
前記データベースは前記印刷対象の前記電子データと同様に前記識別コードに関連付けて前記電子データの課金情報を格納し、
前記取得手段は前記電子データとともに前記課金情報を前記データベースから取得し、
前記料金徴収手段は前記課金情報と前記ページ指定手段から料金を計算し、
前記印刷手段は、前記計算された料金が投入された場合に前記電子データの印刷を行う
ことを特徴とした請求項３記載の印刷装置。
【請求項５】
前記課金情報は前記印刷対象のページ毎に金額を設定することができる
ことを特徴とした請求項４記載の印刷装置。
【請求項６】
前記印刷対象は書籍であり、
前記識別コードは書籍に印字されているＩＳＢＮコード、もしくは書籍ＪＡＮコードであり、
前記識別コード読み取り手段は光学読み取り装置である
ことを特徴とした請求項１から５いずれかに記載の印刷装置。
【請求項７】
前記識別コードは前記印刷対象に貼り付けられた、もしくは織り込まれたＩＣチップに記憶されており、
前記識別コード読み取り手段はＩＣチップリーダである
ことを特徴とした請求項１から５いずれかに記載の印刷装置。
【発明の詳細な説明】
【技術分野】
【０００１】
本発明は、印刷装置、特に書籍を印刷する装置、及び印刷方法に関するものである。
【背景技術】
【０００２】
従来、図書館などで所蔵されている書籍を複写する場合、施設内に置かれている複写機を用いて複写を行っている。この場合、複写料金は色と複写用紙サイズによって決まっている。
【０００３】
一方、原稿のページ毎に複写料金を設定し、徴収する装置は提案されており、例えば、書籍の識別子をスキャナで読み取ることで書籍を特定し、複写するページをスキャナで読み取り、読み取ったイメージの特徴量によってその書籍中のページを特定し、特定した書籍のページに対応する複写料金をサーバから取得し、料金の徴収を行う技術が知られている（特許文献１）。
【０００４】
また、従来より、書籍にはカバーの裏表紙などにＩＳＢＮ（Ｉｎｔｅｒｎａｔｉｏｎａｌ  Ｓｔａｎｄａｒｄ  Ｂｏｏｋ  Ｎｕｍｂｅｒ）コード、もしくは、書籍ＪＡＮ（Ｊａｐａｎｅｓｅ  Ａｒｔｉｃｌｅ  Ｎｕｍｂｅｒ）コードが印刷されている。ＩＳＢＮコードは、グループ記号（１桁）、出版者言名記号（２から７桁）、書名記号（残りの桁、６から１桁）、及びチェックデジット（１桁）の１０桁から構成され、ＯＣＲ−Ｂフォントで印刷されている。また、書籍ＪＡＮコードは２段で印刷されており、上段は、ＩＳＢＮ用フラグ（３桁）、ＩＳＢＮコード（チェックデジットを除く９桁）、及びチェックデジット（１桁）の１３桁から構成されている。下段は、書籍ＪＡＮを示すフラグ（３桁）、書籍の分類コード（４桁）、定価（５桁）、及びチェックデジット（１桁）の１３桁から構成されている。そして、上段下段それぞれがＯＣＲ−Ｂフォントと対応するバーコードで印刷されている。書籍を管理する場合、このＩＳＢＮコードや書籍ＪＡＮコードをデータベースに登録しておき、ＯＣＲリーダやバーコードリーダを用いてそれぞれのコードを読み取ったものと対応させている。
【特許文献１】特開２００２−２０９０３９号公報
【発明の開示】
【発明が解決しようとする課題】
【０００５】
しかしながら、上述した従来の例では書籍の複写するために、必要な部分のページを順にめくりながら、見開きごとに書籍を複写機の原稿台の上に置き直さなければならず、ユーザの利便性が低い場合があった。
【０００６】
本発明は上記の問題点を解決するためになされたものであり、その目的はページをめくりながら原稿台に置き直すことなく書籍の所望のページだけを印刷することができる印刷装置を提供することである。
【課題を解決するための手段】
【０００７】
本発明に係る第１の発明は、印刷対象の識別コードとその印刷対象の電子データを関連づけて格納するデータベースに接続された印刷装置において、前記印刷対象の識別コードを読み取る識別コード読み取り手段と、印刷対象の全ページ、もしくは、印刷対象ページの一部を指定するページ指定手段と、前記識別コードに関連した前記電子データを前記データベースから指定されたページだけ取得する取得手段と、取得した前記電子データを印刷する印刷手段とを有することを特徴とする。
【０００８】
本発明に係る第２の発明は、請求項１の印刷装置において、前記データベースは前記印刷対象の前記電子データと同様に前記識別コードに関連付けて前記電子データの印刷条件を格納し、前記取得手段は前記電子データとともに前記印刷条件を前記データベースから取得し、前記印刷手段は前記印刷条件が満たされる場合に前記電子データの印刷を行うことを特徴とする。
【０００９】
本発明に係る第３の発明は、印刷対象の識別コードとその印刷対象の電子データを関連づけて格納するデータベースに接続された印刷装置において、前記印刷対象の識別コードを読み取る識別コード読み取り手段と、印刷対象の全ページ、もしくは、印刷対象ページの一部を指定するページ指定手段と、前記識別コードに関連した前記電子データを前記データベースから指定されたページだけ取得する取得手段と、取得した前記電子データを印刷する印刷手段と、印刷に伴う料金を徴収する料金徴収手段とを有することを特徴とする。
【００１０】
本発明に係る第４の発明は、請求項３の印刷装置において、前記データベースは前記印刷対象の前記電子データと同様に前記識別コードに関連付けて前記電子データの課金情報を格納し、前記取得手段は前記電子データとともに前記課金情報を前記データベースから取得し、前記料金徴収手段は前記課金情報と前記ページ指定手段から料金を計算し、前記印刷手段は、前記計算された料金が投入された場合に前記電子データの印刷を行うことを特徴とする。
【００１１】
本発明に係る第５の発明は、請求項４の印刷装置において、前記課金情報は前記印刷対象のページ毎に金額を設定することができることを特徴とする。
【００１２】
本発明に係る第６の発明は、請求項１から５の印刷装置において、前記印刷対象は書籍であり、前記識別コードは書籍に印字されているＩＳＢＮコード、もしくは書籍ＪＡＮコードであり、前記識別コード読み取り手段は光学読み取り装置であることを特徴とする。
【００１３】
本発明に係る第７の発明は、請求項１から５の印刷装置において、前記識別コードは前記印刷対象に貼り付けられた、もしくは織り込まれたＩＣチップに記憶されており、前記識別コード読み取り手段はＩＣチップリーダであることを特徴とする。
【発明の効果】
【００１４】
以上説明したように、本発明に係る第１から第７の発明によれば、ページをめくりながら、見開きごとに書籍を複写機の原稿台の上に置き直すことなくユーザが所望する複数のページを印刷することができるので、ユーザの利便性を向上することができる。また、あらかじめ登録された電子データを印刷するので、複写を行うよりも高品位な出力物を提供することができる。
【００１５】
第３発明によれば、印刷に対する料金を徴収することができるので、書籍の著作権に配慮することができる。
【００１６】
さらに、第４発明によれば、書籍によって印刷単価を設定することができ、第５の発明によれば、印刷単価をページ毎に設定できるため、印刷物に合わせた料金が徴収することができる。
【発明を実施するための最良の形態】
【００１７】
（第１実施形態）
図１は、本発明の実施形態を示す印刷装置の構成を示すブロック図である。
【００１８】
図において、１０１はデジタル複写機本体で、操作部１０２、リーダ部（画像入力手段）１０３、プリンタ部（画像出力手段）１０４から構成される。
【００１９】
操作部１０２は、デジタル複写機本体１０１及び画像入出力制御部１０５を操作するために使用される。リーダ部１０３は、原稿の画像を読み取り、原稿画像に応じた画像データをプリンタ部１０４及び画像入出力制御部１０５へ出力する。プリンタ部１０４は、リーダ部１０３及び画像入出力制御部１０５からの画像データに応じた画像を記録紙上に記録する。
【００２０】
画像入出力制御部１０５は、リーダ部１０３に接続されており、ファクシミリ部（画像入力手段）１０６、コンピュータインタフェース部１０７、ハードディスク１０８、制御部１０９から構成される。
【００２１】
ファクシミリ部１０６は、電話回線を介して受信した圧縮画像データを伸長して、伸長された画像データを制御部１０９へ転送し、また、制御部１０９から転送された画像データを圧縮して、圧縮された圧縮画像データを電話回線を介して送信する。ファクシミリ部１０６により受信した圧縮画像データは、ハードディスク１０８に一時的に保存することができる。
【００２２】
コンピュータインタフェース部１０７は、パーソナルコンピュータ（以下、ＰＣ）１１０やデータベースサーバ（以下、サーバ）１１１と制御部１０９の間のインタフェースであり、ＰＣ１１０やサーバ１１１から転送された画像データを制御部１０９に渡す。また、制御部１０９からの指示により、ＰＣ１１０やサーバ１１１に対して画像データや制御コードを送信する。
【００２３】
ハードディスク１０８は、画像データの出力順序を変えたり、複数部出力においても一回のスキャンで出力ができるようにするためや、ファクシミリ送信やファクシミリ受信のように転送に時間がかかる場合に、ＰＤＬの展開データやスキャナからの画像データを一時的に記憶したり、同じ画像データを繰り返し読み出すために利用者が意図的に消去するまで記憶したりする。
【００２４】
バーコードリーダ１１２は、バーコードを読み取り、所定のコードに変換し、制御部１０９へ転送する。
【００２５】
１１３は、料金徴収機１１３で、投入されたコインを計数し、合計額を制御部１０９に通知する。ここではコインが投入される料金徴収機としたが、もちろん、お札が投入できるものでも、クレジットカードやデビットカード、プリペイドカードから料金を徴収に対応したものでもよい。
【００２６】
制御部１０９については後述するが、制御部１０９は、ＣＰＵ，ＲＯＭ，ＲＡＭ等を有し、ＣＰＵがＲＯＭ又はその他の記憶媒体に格納されたプログラムを実行することにより印刷装置全体を統括制御して、リーダ部１０３、ファクシミリ部１０６、コンピュータインタフェース部１０７、ハードディスク１０８のそれぞれの間のデータの流れを制御するものである。
【００２７】
図２は、図１に示したリーダ部１０３及びプリンタ部１０４の構成を示す断面図である。
【００２８】
リーダ部１０３において、２０１は原稿給送装置で、原稿を最終順に１枚ずつプラテンガラス２０２上へ給送し、原稿の読み取り動作終了後、プラテンガラス２０２上の原稿を
排出するものである。
【００２９】
原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７、及びレンズ２０８によってＣＣＤイメージセンサ（以下ＣＣＤと呼ぶ）２０９へ導かれる。
【００３０】
このように、走査された原稿の画像はＣＣＤ２０９によって読み取られ、ＣＣＤ２０９から出力される画像データは、所定の処理が施された後、プリンタ部１０４及び画像入出力制御部１０５の制御部１０９へ転送される。
【００３１】
プリンタ部１０４において、２２１はレーザドライバで、レーザ発光部２１０を駆動するものであり、リーダ部１０３から出力された画像データに応じたレーザ光をレーザ発光部２１０に発光させる。このレーザ光は感光ドラム２１１に照射され、感光ドラム２１１にはレーザ光に応じた潜像が形成される。この感光ドラム２１１の潜像の部分には現像器２１２によって現像剤が付着される。
【００３２】
そして、レーザ光の照射開始と同期したタイミングで、カセット２１３及びカセット２１４のいずれかから記録紙を給紙して転写部２１５へ搬送し、感光ドラム２１１に付着された現像剤を記録紙に転写する。
【００３３】
現像剤の乗った記録紙は定着部２１６に搬送され、定着部２１６の熱と圧力により現像剤は記録紙に定着される。定着部２１６を通過した記録紙は排出ローラ２１７によって排出され、ソータ（仕分け装置）２２０は排出された記録紙をそれぞれのビンに収納して記録紙の仕分けをしたり、仕分けされた記録紙のステイプルを行う。
【００３４】
なお、ソータ２２０は仕分けが設定されていない場合は最上ビンに記録紙を収納する。また、両面記録が設定されている場合は、排出ローラ２１７のところまで記録紙を搬送した後、排出ローラ２１７の回転方向を逆転させ、フラッパ２１８によって再給紙搬送路２１９へ導く。
【００３５】
多重記録が設定されている場合は、記録紙を排出ローラ２１７まで搬送しないようにフラッパ２１８によって再給紙搬送路２１９へ導く。再給紙搬送路２１９へ導かれた記録紙は上述したタイミングで転写部２１５へ給紙される。
【００３６】
図３は、図１に示した操作部１０２のキー配列を示す外観図である。
【００３７】
図において、３０１は主電源ランプで、電源オン時に点灯する。図示せぬ電源スイッチは、本体の側面に配置され、本体への通電を制御する。３０２は予熱キーで、予熱モードのＯＮ／ＯＦＦに使用する。３０３はコピーモードキーで、複数の機能の中からコピーモードを選択する時に使用する。
【００３８】
３０４はファックスモードキーで、複数の機能の中からファックスモードを選択する時に使用する。３０５はボックスキーで、複数の機能の中からボックスモードを選択する時に使用する。ボックスに関しては後程説明する。
【００３９】
３０６はコピースタートキーで、コピーの開始を指示する時に用いるキーである。３０７はストップキーで、コピーを中断したり、中止したりする時に用いるキーである。３０８はリセットキーで、スタンバイ中は標準モードに復帰させるキーとして動作する。
【００４０】
３０９はガイドキーで、各機能を知りたい時に使用するキーである。３１０はユーザーモードキーで、ユーザがシステムの基本設定を変更する時に使用する。３１１は割り込みキーで、コピー中に割り込みしてコピーしたい時に用いる。
【００４１】
３１２はテンキーで、数値の入力を行う時に使用する。３１３はクリアキーで、数値をクリアする時に用いる。３１４は、２０個のワンタッチ・ダイヤル・キーであり、ファクシミリ送信において、ワンタッチでダイヤルする時に使用する。
【００４２】
３１５は２枚組のフタであり、ワンタッチ・ダイヤル・キー３１４の各キー部分がくり抜かれ形状の２重のフタになっている。図示せぬセンサスイッチにより、２枚のフタが閉じられた第１の状態、１枚目のフタだけが開いた第２の状態、及び２枚のフタが開いた第３の状態を検出する。これら３種類のフタの開閉状態と組み合わせで、ワンタッチ・ダイヤル・キー３１４のキーの動作が決定されるので、本実施形態では、キーが２０×３＝６０個存在するのと同等の効果を持つ。
【００４３】
３１６は、液晶画面とタッチセンサの組み合わせからなるタッチパネルであり、各モード毎に個別の設定画面が表示され、更に、描画されたキーに触れることで、各種の詳細な設定を行うことが可能である。
【００４４】
図４は、第１図に示したデータベースサーバ１１１で管理、蓄積しているデータ構造を示す説明図である。ＩＳＢＮコード４０１は書籍の識別子を示している。課金情報４０２は１枚毎に課金する値段を示し、ページ４０３は課金情報４０２が適用されるページ番号を示し、画像データへのポインタ４０４は、ＩＳＢＮコード４０１で示される書籍の画像データの格納先を示している。
【００４５】
ここでサーバ１１１の動作を説明する。サーバ１１１は画像入出力制御部１０５から検索キーとしてＩＳＢＮコード、及び、指定ページを受信すると、課金情報４０２とページ４０３から計算し、指定されたページ分の課金金額を計算し、画像入出力制御部１０５へ返すとともに、指定されたページの画像データを画像入力制御部１０５に送信する
以下、図５〜図７を参照して、本実施形態に係わる印刷装置の書籍印刷処理動作手順について説明する。
【００４６】
図５は、本発明の印刷装置における第１の制御処理手順の一例を示すフローチャートである。なお、図５中のＳ５０１〜Ｓ５０７は各ステップを示す。
【００４７】
また、図６〜図８は、図３に示したタッチパネル３１６に表示される画面の一例を示す模式図である。
【００４８】
以下、図５のフローチャートに沿って説明する。
【００４９】
図５のステップＳ５０１では、ユーザがタッチパネル３１６に表示されたメニュー（図示しない）から書籍印刷を選択すると、制御部１０９はタッチパネル３１６に図６で示すバーコード読み取りを促す画面（６０１）を表示し、ステップＳ５０２へ移行する。
【００５０】
ステップＳ５０２では、ユーザが画面６０１の指示に従い、バーコードリーダ１１２にバーコードで記述された書籍ＪＡＮコードを読み取らせると、制御部１０９はバーコードリーダ１１２から書籍ＪＡＮコードを受け取り、ステップＳ５０３に移行する。
【００５１】
ステップＳ５０３では、タッチパネル３１６に図７で示す印刷ページ指定画面を表示し、ユーザが印刷するページを入力するとステップＳ５０４に移行する。図７において、７
０１は書籍の全ページを印刷することを指示するためのボタンであり、押下されるたびにＯＮとＯＦＦが交互に設定され、表示される。７０２には印刷開始ページを入力する場合に押下するボタンである。７０３はボタン７０２が押下されている状態で有効になる入力枠であり、テンキー３１２で入力された値を表示する。７０４には印刷終了ページを入力する場合に押下するボタンである。７０５はボタン７０４が押下されている状態で有効になる入力枠であり、テンキー３１２で入力された値を表示する。なお、ボタン７０１とボタン７０２とボタン７０４はそれぞれ排他され、いずれかが押下されると、他のボタンは元の状態に戻る。７０５は印刷ページの指定を確定するボタンである。
【００５２】
ステップＳ５０４では、制御部１０９がステップＳ５０２で取得した書籍ＪＡＮコードからＩＳＢＮコードを抜き出すとともにステップＳ５０３で入力された印刷指定ページをサーバ１１１に送信し、ステップＳ５０５に移行する。
【００５３】
ステップＳ５０５では、制御部１０９がサーバ１１１から指定されたページに相当する課金金額と画像データを受信し、ステップＳ５０６に移行する。
【００５４】
ステップＳ５０６では、ステップＳ５０５で受信した課金金額をタッチパネル３１６に図８で示す料金表示画面８０１を表示し、料金徴収機１１３に課金金額以上の料金が投入された場合に、ステップＳ５０７に移行する。
【００５５】
ステップＳ５０７では、プリンタ部１０４をステップＳ５０５で受信した画像データを用いて印刷する。
【００５６】
これにより、ページをめくりながら、見開きごとに書籍を複写機の原稿台の上に置き直すことなくユーザが所望する複数のページを印刷することができ、ユーザの利便性が向上している。印刷単価をページ毎に設定できるため、印刷物に合わせた料金が徴収できるようになっている。さらに、あらかじめ登録された電子データを印刷することにより、複写を行うよりも高品位な出力物を提供することができる。
【００５７】
（第２実施形態）
上記第１実施形態では、バーコードリーダ１１２で書籍ＪＡＮコードを読み取る場合について説明したが、本実施形態ではリーダ部１０３でＩＳＢＮコードを読み取り、制御部１０９でＯＣＲする構成について、図７〜図１１を参照して説明する。
【００５８】
図９は、図１で示した本発明の実施形態を示す印刷装置の構成を示すブロック図を本実施形態に合わせて変更したものである。具体的には、バーコードリーダ１１２を構成からはずしたものである。
【００５９】
図１０は、本発明の印刷装置における第２の制御処理手順の一例を示すフローチャートである。なお、図１０中のＳ１００１〜Ｓ１００７は各ステップを示す。
【００６０】
図１０のステップＳ１００１では、ユーザがタッチパネル３１６に表示されたメニュー（図示しない）から書籍印刷を選択すると、制御部１０９はタッチパネル３１６に図１１で示すＩＳＢＮコード読み取りを促す画面（１１０１）を表示し、ステップＳ１００２へ移行する。
【００６１】
ステップＳ１００２では、ユーザが画面１１０１の指示に従い、プラテンガラス２０２上に書籍を置き、スタートキーを押下すると、リーダ部１０３はＯＣＲ−Ｂフォントで記述されたＩＳＢＮコードを含んだ画像データを制御部１０９に転送し、ステップＳ１００３に移行する。
【００６２】
ステップＳ１００３では、制御部１０９がリーダ部１０３から受け取った画像データにＯＣＲをかけて、ＩＳＢＮコードを抽出し、ステップＳ１００４に移行する。
【００６３】
ステップＳ１００４では、タッチパネル３１６に図７（第１の実施例と同様）で示す印刷ページ指定画面を表示し、ユーザが印刷するページを入力するとステップＳ１００５に移行する。
【００６４】
ステップＳ１００５では、制御部１０９がステップＳ１００３で抽出したＩＳＢＮコードとステップＳ１００４で入力された印刷指定ページをサーバ１１１に送信し、ステップＳ１００６に移行する。
【００６５】
ステップＳ１００６では、制御部１０９がサーバ１１１から指定されたページに相当する課金金額と画像データを受信し、ステップＳ１００７に移行する。
【００６６】
ステップＳ１００７では、ステップＳ１００６で受信した課金金額をタッチパネル３１６に図８で示す料金表示画面８０１を表示し、料金徴収機１１３に課金金額以上の料金が投入された場合に、ステップＳ１００８に移行する。
【００６７】
ステップＳ１００８では、プリンタ部１０４を用いてステップＳ１００６で受信した画像データを印刷する。
【００６８】
これにより、一回の読み取り動作でユーザが所望する複数のページを印刷することができ、ユーザの利便性が向上している。さらに、バーコードリーダを使用しないでも実現可能なため、コストの削減にも効果がある。
【００６９】
なお、上記第１の実施形態では、バーコードリーダで書籍ＪＡＮコードのバーコードを読み取らせる構成について説明したが、ＩＳＢＮコードや書籍ＪＡＮコードが書き込まれたＩＣチップを書籍に埋め込み、そのＩＣチップをＩＣチップリーダで読み取らせる構成にしてもよい。
【００７０】
また、上記第１，第２実施形態では、サーバ１１１が１台の構成について説明したが、出版社や発行元、印刷サービス運営会社等の単位にサーバが存在してもよいし、ミラーサーバを立てて、ミラーサーバに問い合わせにいく構成にしてもよい。
【００７１】
さらに、上記第１，第２実施形態では、デジタル複写機の操作部にあるタッチパネル３１６からの操作でページを指定したり、印刷を指示したりしたが、ＰＣ１１０からのアクセスによって行う構成にしてもよい。
【００７２】
また、本発明は、ページプリンタおよびファクシミリ装置等の印刷装置についても同様に適用可能であり、上述した書籍印刷を実施することができる。
【００７３】
なお、上記各実施形態では、プリンタ部（プリンタエンジン）がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【図面の簡単な説明】
【００７４】
【図１】本発明の印刷装置における第１の実施形態を示す印刷装置の構成を示すブロック図
【図２】図１に示したリーダ部及びプリンタ部の構成を示す断面図である。
【図３】図１に示した操作部の構成を示す外観図
【図４】図１に示したデータベースサーバ１１１で管理、蓄積しているデータ構造を示す説明図
【図５】本発明の印刷装置における第１の制御処理手順の一例を示すフローチャートを示す図
【図６】図３に示したタッチパネルに表示するバーコード読み取りを促す画面の一例を示す模式図
【図７】図３に示したタッチパネルに表示する印刷ページ指定画面の一例を示す模式図
【図８】図３に示したタッチパネルに表示する料金表示画面の一例を示す模式図
【図９】本発明の印刷装置における第２の実施形態を示す印刷装置の構成を示すブロック図
【図１０】本発明の印刷装置における第２の制御処理手順の一例を示すフローチャートを示す図
【図１１】図３に示したタッチパネルに表示するＩＳＢＮコード読み取りを促す画面の一例を示す模式図
【符号の説明】
【００７５】
１０１    デジタル複写機本体
１０２    操作部
１０３    リーダ部
１０４    プリンタ部
１０５    画像入出力制御部
１０６    ファクシミリ部
１０７    コンピュータインタフェース部
１０８    ハードディスク（画像記憶手段）
１０９    制御部（制御手段）
１１０    ＰＣ
１１１    サーバ
１１２    バーコードリーダ
１１３    料金徴収機
【図１】
2006173845.tif 000003
【図２】
2006173845.tif 000004
【図３】
2006173845.tif 000005
【図４】
2006173845.tif 000006
【図５】
2006173845.tif 000007
【図６】
2006173845.tif 000008
【図７】
2006173845.tif 000009
【図８】
2006173845.tif 000010
【図９】
2006173845.tif 000011
【図１０】
2006173845.tif 000012
【図１１】
2006173845.tif 000013